(57)【要約】異形要素（１）は油圧成形により希望の形状に形成された管状ブランク（２）を含む。油圧成形に関連して、本質的にブランクの縦方向の少なくとも一つのスロットがブランクの壁部（４，６）内に作られ、強化要素（３）が各スロット内に固定される。好適実施例においては、各強化要素は二つの対向スロット内に固定され、ブランク内の空隙部を通して延びる。この発明は一方では異形要素に関し、他方ではそれを製造する方法に関する。【選択図】図４
2004501767.tif 000002
【特許請求の範囲】
【請求項１】
管状ブランク（２）が油圧成形により希望の形状を与えられる異形要素を製造する方法において、油圧成形に関連して、本質的にブランクの縦方向の少なくとも一つのスロット（５）がブランク（２）の第一壁部（４）内に作られること、及びブランクの内部空隙部（８）中に延びる強化要素（３）が続いて各スロット中に挿入され各スロット内に固定されることを特徴とする方法。
【請求項２】
本質的にブランクの縦方向の少なくとも一つのスロット（７）が第一壁部（４）に本質的に直接対向して位置したブランク（２）の第二壁部（６）内にも作られること、及び第一壁部内のスロット（５）中に挿入された少なくとも一つの強化要素（３）がかかるスロット中に挿入されかつかかるスロット内に固定されることを特徴とする請求項１に記載の方法。
【請求項３】
強化要素の固定が溶接またははんだ付けにより実現されることを特徴とする請求項１または２に記載の方法。
【請求項４】
強化要素の固定が接着剤結合により実現されることを特徴とする請求項１または２に記載の方法。
【請求項５】
ブランクが少なくとも二つの強化要素を備えていることを特徴とする請求項１から４のいずれか一つに記載の方法。
【請求項６】
スロット形成が油圧成形と同じ道具で実行されることを特徴とする請求項１から５のいずれか一つに記載の方法。
【請求項７】
油圧成形により希望の形状を与えられた管状ブランクを含む異形要素において、ブランクの油圧成形に関連して作られ、かつ本質的にブランクの縦方向に延びる少なくとも一つのスロット（５）がブランク（２）の第一壁部（４）内に存在すること、及びブランクの内部空隙部（８）中に延びる強化要素（３）がこのスロット内に固定されることを特徴とする異形要素。
【請求項８】
本質的にブランクの縦方向に延びるスロット（７）が第一壁部（４）に本質的に直接対向して位置したブランクの第二壁部（６）内にも存在すること、及び第一壁部（４）内のスロット内に固定された少なくとも一つの強化要素（３）がかかるスロット内に固定されることを特徴とする請求項７に記載の異形要素。
【請求項９】
少なくとも一つの強化要素（３）が異形要素の曲がり部内に配置されること、及び強化要素が本質的に曲率面内に位置していることを特徴とする請求項７または８に記載の異形要素。
【請求項１０】
強化要素（３）が二つの対向スロット（５，７）内に配置されることを特徴とする請求項９に記載の異形要素。
【発明の詳細な説明】
【０００１】
技術分野
本発明は一方では請求項１の前提節に記載の異形要素を製造する方法に関し、他方では請求項７の前提節に記載のかかる異形要素に関する。
【０００２】
技術の状態
多くの形式の構造において、希望の硬度と強度を達成するために種々の形式の異形要素が使用されている。自動車産業において例えば多くの状況において例えば一緒に溶接される曲げられたシート金属部材から適当な管状異形要素を構成することは通例である。しかし、かかる異形要素の製造は多数の異なる作業操作を必要とし、従って比較的複雑である。別の欠点は、構成部材を一緒に結合するために通常用いられるスポット溶接はある材料厚では可能な強度を制限し、結合部は異形要素に沿って連続していないことである。別の欠点は比較的大きな材料消費とそれに伴う大きな重量である。
【０００３】
より簡単で、軽くて良好な異形要素を得る目的のために、大きな設計自由度を可能とする油圧成形を採用することがますます普通となっている。しかし、そのときでさえ、できるだけ小さい材料厚を持つ十分に固い異形要素を製造する場合に問題が起こる。
【０００４】
発明の目的
この発明の目的は良好な硬度と低材料消費を持つ異形要素を製造する簡単な方法を達成することである。別の目的は良好な硬度と低材料消費を持つ簡単な異形要素を製造することである。
【０００５】
発明の開示
この発明の目的は一方では請求項１に示された特徴を持つ方法を採用することにより、他方では請求項７に示された特徴を持つ異形要素を製造することにより達成される。
【０００６】
この方法と選ばれた実施例によって、壁厚を増やすことなく簡単な手段により異形要素を局所的に強化することが可能である。この方法で、異形要素の良好な硬度が低い全重量で得られる。
【０００７】
この発明による解決の更なる利点と特徴は以下の説明及び他の請求項から明らかになる。
【０００８】
この発明は添付図面に示された例示的実施例に関して以下により詳細に説明されるであろう。
【０００９】
図面の説明
図面において：
図１はこの発明による異形要素の側面図を示し、
図２は図１の異形要素の正面図を示し、
図３は図２の断面ＩＩＩ−ＩＩＩを示し、
図４は図１の異形要素の一部の断面図を部分的に示し、
図５は図４に対応する図を示すが強化要素の取り付け前を示し、
図６は図４の実施例の変更例を示し、そして
図７は一つ以上の強化要素を持つ実施例の正面図を示す。
【００１０】
例示的実施例の説明
図１−５はこの発明により作られた異形要素１を示し、それは種々の形式の構造の一部を形成することのできるように負荷を吸収することを意図している。それらの構造はこの明細書中には簡素化のためにより詳細には示されていない。適用の一つの可能な領域は例えば自動車のフロントガラス直立部としてであるが、多数の他の領域の適用がもちろん要求と希望により可能である。示された異形要素１はブランク２を含み、このブランクは好適にはこの場合におけるように管状で長い。負荷を吸収する点に関して敏感な点に、この場合は曲がり部に、ブランク２は少なくとも一つの強化要素３を備えており、それはブランク２の対向壁を相互に連結することができる。
【００１１】
強化点での異形要素１のより詳細な設計は図４と５から見ることができる。本質的にブランク２の縦方向のスロット５がブランク２の第一壁部４内に作られる。対応する態様で、これまた本質的にブランク２の縦方向に延びるスロット７がブランク２の第二の対向壁部６内に作られる。好適には板形状の強化要素３が二つのスロット５，７中に挿入され、ブランク２内の内部空隙部８を通して延びる。二つのスロット５，７で強化要素３はブランク２に結合され、かくしてブランク２を硬直化する。
【００１２】
代替実施例が図６に示され、そこでは第一壁部４のみがスロット５を備えており、強化要素３はブランク２の横断方向に限定された広がりを持つ。これに関して、強化要素３は要求及び希望により空隙部８中により大きいまたはより小さい広がりで延びることができる。
【００１３】
図７は二組の強化要素３を持つ実施例を示し、この場合横方向にある相互間隔で配置されている。これらの強化要素はそのときそれぞれ図４によるブランク内の二つの対向スロット５，７内にまたは図６による単一スロット５内のいずれかで取り付けられることができる。
【００１４】
スロット５，７及び強化要素３の数及びそれらの配置及び設計は、ここに示されたものに加えて、要求によりこの発明の範囲内で多数の他の異なる方法で改変されることができる。例えば、もしブランク２の縦方向の相対的変位により適当であるなら、図４と６に示された両形式の強化要素３を同じ異形要素内に有することも可能である。
【００１５】
ブランク２と強化要素３の両者は有利には金属から作られ、適当な方式で、例えば溶接、はんだ付け、接着剤結合、据込み又は別の方法で互いに取り付けられることができる。もし適当であるなら、他の材料、例えば適当な形式のプラスチック、もまた用いられることができる。
【００１６】
特に有利な実施例はもし金属から作られたブランク２が用いられ、その意図した形状を油圧成形により与えられるなら、得られる。このブランクは有利にはそれが油圧成形される前に予備曲げ加工されることができる。油圧成形は縦方向及び断面の両方で比較的複雑な形状を持つ場合でさえ仕上げたブランク２に小さな壁厚を使用することを可能とする。硬度は従って好適に設計された強化要素３により、かかる要求が存在するところで局所的に強化されることができる。油圧成形に関して、油圧成形道具自体内のブランク２内に適当な数の好適に設計されかつ配置されたスロットを与えることは好都合である。これは例えばブランク自体が形成された後に行うこともできる。
【００１７】
強化要素３はもし適当なら重量と材料を節約するために切り抜きを備えた、適当には均一厚の板からなることができる。しかし、例えば強化要素をくさび形状とすることも可能であり、そのときは強化要素３は対向端よりもスロット５でより厚くすることもできる。この場合、同様に重量と材料を節約するために切り抜きを使用することもできる。
【図面の簡単な説明】
【図１】
この発明による異形要素の側面図を示す。
【図２】
図１の異形要素の正面図を示す。
【図３】
図２の断面ＩＩＩ−ＩＩＩを示す。
【図４】
図１の異形要素の一部の断面図を部分的に示す。
【図５】
図４に対応する図を示すが強化要素の取り付け前を示す。
【図６】
図４の実施例の変更例を示す。
【図７】
一つ以上の強化要素を持つ実施例の正面図を示す。
【図１】
2004501767.tif 000003
【図２】
2004501767.tif 000004
【図３】
2004501767.tif 000005
【図４】
2004501767.tif 000006
【図５】
2004501767.tif 000007
【図６】
2004501767.tif 000008
【図７】
2004501767.tif 000009
【国際公開パンフレット】
2004501767.tif 000010
2004501767.tif 000011
2004501767.tif 000012
2004501767.tif 000013
2004501767.tif 000014
2004501767.tif 000015
2004501767.tif 000016
2004501767.tif 000017
2004501767.tif 000018
【国際調査報告】
2004501767.tif 000019
2004501767.tif 000020
2004501767.tif 000021